(57)【特許請求の範囲】
【請求項１】
負荷を制御するためのマイクロコンピュータと、
第１の電源電圧を伝達するための第１の電源配線と、
前記第１の電源配線の前記第１の電源電圧を降圧して第２の電源電圧を生成する電圧調整回路と、
前記電圧調整回路によって生成された前記第２の電源電圧を前記マイクロコンピュータへ供給するための第２の電源配線と、
前記第１の電源電圧に応じて変化する電圧と前記第２の電源電圧に応じて変化する電圧との比較に基づいて、前記第２の電源電圧の異常を検知するための異常検知回路と、
前記異常検知回路が前記第２の電源電圧の異常を検知したときに、前記マイクロコンピュータによる処理を伴うことなく作動するように構成された電圧低下回路とを備え、
前記電圧低下回路は、作動時に、前記電圧調整回路に入力される前記第１の電源配線の電圧を低下させることによって、前記マイクロコンピュータが動作不可となる電圧領域まで前記第２の電源電圧を低下させる、制御装置。
【請求項２】
外部電源からの電圧を前記第１の電源電圧に変換して前記第１の電源配線に出力するための電力変換回路をさらに備え、
前記電圧低下回路は、前記電力変換回路と前記第１の電源配線との間に配置されて、作動時に前記電力変換回路と前記第１の電源配線の間の電流経路を遮断する一方で、非作動時に前記電力変換回路と前記第１の電源配線の間に電流経路を形成するように構成される、請求項１記載の制御装置。
【請求項３】
外部電源からの電圧を前記第１の電源電圧に変換して前記第１の電源配線に出力する電力変換動作を実行するための電力変換回路をさらに備え、
前記電圧低下回路は、作動時に前記電力変換回路による前記電力変換動作を停止させるように構成される、請求項１記載の制御装置。
【請求項４】
外部電源からの電圧を前記第１の電源電圧に変換して前記第１の電源配線に出力する電力変換動作を実行するための電力変換回路をさらに備え、
前記電力変換回路は、
前記第１の電源電圧のフィードバック信号に基づいて前記電力変換回路からの出力電圧を制御するための制御回路を含み、
前記電圧低下回路は、作動時に、前記制御回路へ入力される前記フィードバック信号を、前記電力変換回路の出力電圧を低下させるように変換する、請求項１記載の制御装置。
【請求項５】
外部電源からの電圧を前記第１の電源電圧に変換して前記第１の電源配線に出力する電力変換動作を実行するための電力変換回路をさらに備え、
前記第１の電源電圧のフィードバック信号に基づいて前記電力変換回路からの出力電圧を制御するための制御回路を含み、
前記制御回路は、回路内の過電流発生時に前記電力変換動作を停止する機能を有し、
前記電圧低下回路は、作動時に、前記制御回路へ入力される前記フィードバック信号を、前記電力変換回路内に過電流を発生させるように変換する、請求項１記載の制御装置。
【請求項６】
外部電源からの交流電圧を直流電圧に変換して出力するための、前記交流電圧の振幅よりも高い直流電圧を発生する昇圧機能を有する昇圧回路と、
前記昇圧回路の出力電圧を前記第１の電源電圧に変換して前記第１の電源配線に出力する電力変換動作を実行するための電力変換回路をさらに備え、
前記昇圧回路は、前記昇圧機能がオンされたときに第１の電圧を出力する一方で、前記昇圧機能がオフされたときには前記第１の電圧よりも低い第２の電圧を出力するように構成され、
前記電力変換回路は、回路内の過電流発生時に前記電力変換動作を停止する機能を有し、
前記電圧低下回路は、作動時に前記昇圧回路の前記昇圧機能をオフするように構成される、請求項１記載の制御装置。
【請求項７】
前記第１の電源配線に介挿接続されたヒューズ素子をさらに備え、
前記電圧低下回路は、作動時に、前記ヒューズ素子の溶断電流を前記ヒューズ素子に通流させるように動作する、請求項１記載の制御装置。
【発明の詳細な説明】
【技術分野】
【０００１】
この発明は、制御装置に関し、より特定的には、複数の電源電圧を使用する制御装置における電源電圧の異常時処理に関する。
【背景技術】
【０００２】
複数の電源電圧を使用する装置における電源電圧監視装置が、特開平４−２７６５６４号公報（特許文献１）および特開２００２−８２１３９号公報（特許文献２）に記載されている。
【０００３】
特許文献１には、複数の電源電圧のうちの１つの電源電圧を用いて、他の電源電圧の異常を監視するための監視回路の構成が記載されている。特に、特許文献１では、当該１つの１つの電源電圧の分圧比が異なる分圧電圧を２個のコンパレータにそれぞれ入力することで、他の電源電圧の異常を検出する構成が開示されている。
【０００４】
特許文献２には、２個のコンパレータに対して同一の負電圧を異なる極性の入力端子に入力する回路構成が開示されている。
【先行技術文献】
【特許文献】
【０００５】
【特許文献１】特開平４−２７６５６４号公報
【特許文献２】特開２００２−８２１３９号公報
【発明の概要】
【発明が解決しようとする課題】
【０００６】
複数の電源電圧を使用する制御装置において、特に、負荷を制御するためのマイクロコンピュータの電源電圧が変動すると、負荷制御に影響が生じる虞がある。
【０００７】
一般的に、マイクロコンピュータに対しては、電源電圧の動作保障電圧範囲が、スペック値として予め設定されている。しかしながら、電源電圧の変動レベルによっては、電源電圧が動作保障電圧範囲外となっても、マイクロコンピュータが必ず動作を停止するとは限らない。このような動作時は、変動した電源電圧の下でのマイクロコンピュータによる制御によって、負荷の動作が通常と異なることが懸念される。
【０００８】
この発明はこのような課題を解決するためになされたものであって、この発明の目的は、複数の電源電圧を使用する制御装置において、マイクロコンピュータの電源電圧の異常時に、マイクロコンピュータを確実に停止させるための電源構成を提供することである。
【課題を解決するための手段】
【０００９】
本発明による制御装置は、負荷を制御するためのマイクロコンピュータと、第１および第２の電源配線と、電圧調整回路と、異常検知回路と、電圧低下回路を備える。第１の電源配線は、第１の電源電圧を伝達する。電圧調整回路は、第１の電源配線の第１の電源電圧を降圧して第２の電源電圧を生成する。第２の電源配線は、電圧調整回路によって生成された第２の電源電圧をマイクロコンピュータへ供給する。異常検知回路は、第１の電源電圧に応じて変化する電圧と第２の電源電圧に応じて変化する電圧との比較に基づいて、第２の電源電圧の異常を検知する。電圧低下回路は、異常検知回路が第２の電源電圧の異常を検知したときに、マイクロコンピュータによる処理を伴うことなく作動するように構成される。電圧低下回路は、作動時に、電圧調整回路に入力される第１の電源配線の電圧を低下させることによって、マイクロコンピュータが動作不可となる電圧領域まで第２の電源電圧を低下させる。
【００１０】
上記制御装置によれば、マイクロコンピュータの動作電源である第２の電源電圧の異常が異常検知回路によって検知されると、マイクロコンピュータによる処理を伴うことなく電圧低下回路を作動することによって、電圧調整回路に入力される第１の電源電圧が低下される。これにより、電圧調整回路から出力される第２の電源電圧を、マイクロコンピュータが動作不可となる電圧領域まで低下させることができる。したがって、第２の電源電圧の異常時に、第１の電源電圧の低下を通じて、マイクロコンピュータの動作を確実に停止することができる。特に、マイクロコンピュータによる処理を伴うことなく、電圧低下回路を作動することができるので、マイクロコンピュータの動作が不安定となっていても、マイクロコンピュータの動作を確実に停止させるように第２の電源電圧を低下することができる。
【００１１】
好ましくは、制御装置は、電力変換回路をさらに備える。電力変換回路は、外部電源からの電圧を第１の電源電圧に変換して第１の電源配線に出力するように構成される。電圧低下回路は、電力変換回路と第１の電源配線との間に配置されて、作動時に電力変換回路と第１の電源配線の間の電流経路を遮断する一方で、非作動時に電力変換回路と第１の電源配線の間に電流経路を形成するように構成される。
【００１２】
このようにすると、第２の電源電圧の異常時には、マイクロコンピュータによる処理を伴うことなく、電力変換回路からの電圧供給を遮断することができる。この結果、第１の電源配線から電圧調整回路に入力される電圧を低下することによって、第２の電源電圧を確実に低下させてマイクロコンピュータの動作を停止することができる。
【００１３】
また好ましくは、制御装置は、電力変換回路をさらに備える。電力変換回路は、外部電源からの電圧を第１の電源電圧に変換して第１の電源配線に出力する電力変換動作を実行するように構成される。電圧低下回路は、作動時に電力変換回路による電力変換動作を停止させるように構成される構成される。
【００１４】
このようにすると、第２の電源電圧の異常時には、マイクロコンピュータによる処理を伴うことなく、電力変換回路による第１の電源電圧の出力を停止させることができる。これにより、第１の電源配線から電圧調整回路に入力される電圧が低下することを通じて、第２の電源電圧を低下することができるので、電圧供給を遮断するための追加回路を配置することなく、第２の電源電圧の異常時にマイクロコンピュータの動作を確実に停止することができる。
【００１５】
あるいは好ましくは、制御装置は、電力変換回路をさらに備える。電力変換回路は、外部電源からの電圧を第１の電源電圧に変換して第１の電源配線に出力する電力変換動作を実行するように構成される。電力変換回路は、第１の電源電圧のフィードバック信号に基づいて電力変換回路からの出力電圧を制御するための制御回路を含む。電圧低下回路は、作動時に、制御回路へ入力されるフィードバック信号を、電力変換回路の出力電圧を低下させるように変換する。
【００１６】
このようにすると、第２の電源電圧の異常時には、マイクロコンピュータによる処理を伴うことなく、電力変換回路による第１の電源電圧の制御のためのフィードバック信号の変換によって、電力変換回路の出力電圧を低下することができる。これにより、第１の電源配線から電圧調整回路に入力される電圧を低下することができるので、電圧供給を遮断するための追加回路を配置することなく第２の電源電圧を低下することができる。
【００１７】
あるいは好ましくは、制御装置は、電力変換回路をさらに備える。電力変換回路は、外部電源からの電圧を第１の電源電圧に変換して第１の電源配線に出力する電力変換動作を実行するように構成される。電力変換回路は、第１の電源電圧のフィードバック信号に基づいて電力変換回路からの出力電圧を制御するための制御回路を含む。制御回路は、回路内の過電流発生時に電力変換動作を停止する機能を有する。電圧低下回路は、作動時に、制御回路へ入力されるフィードバック信号を、電力変換回路内に過電流を発生させるように変換する。
【００１８】
このようにすると、第２の電源電圧の異常時には、マイクロコンピュータによる処理を伴うことなく、第１の電源電圧の制御のためのフィードバック信号を電圧上昇動作が継続されるように変換することによって、電力変換回路を過電流の発生によって停止することができる。これにより、第１の電源配線から電圧調整回路に入力される電圧を低下することを通じて、第２の電源電圧を低下することができる。この結果、電圧供給を遮断するための追加回路を配置することなく、第２の電源電圧の異常時にマイクロコンピュータの動作を確実に停止することができる。
【００１９】
また好ましくは、制御装置は、昇圧回路および電力変換回路をさらに備える。昇圧開路は、外部電源からの交流電圧を直流電圧に変換して出力する。昇圧回路は、交流電圧の振幅よりも高い直流電圧を発生する昇圧機能を有する。電力変換回路は、昇圧回路の出力電圧を第１の電源電圧に変換して第１の電源配線に出力する電力変換動作を実行するように構成される。昇圧回路は、昇圧機能がオンされたときに第１の電圧を出力する一方で、昇圧機能がオフされたときには第１の電圧よりも低い第２の電圧を出力するように構成される。電力変換回路は、回路内の過電流発生時に電力変換動作を停止する機能を有する。電圧低下回路は、作動時に昇圧回路の昇圧機能をオフするように構成される。
【００２０】
このようにすると、昇圧回路を備えた構成の制御装置において、第２の電源電圧の異常時には、マイクロコンピュータによる処理を伴うことなく、昇圧回路における昇圧を停止することによって、電力変換回路を過電流の発生により停止することができる。この結果、第１の電源配線から電圧調整回路に入力される電圧を低下することを通じて、第２の電源電圧を低下することができる。これにより、電圧供給を遮断するための追加回路を配置することなく、第２の電源電圧の異常時にマイクロコンピュータの動作を確実に停止することができる。
【００２１】
好ましくは、制御装置は、第１の電源配線に介挿接続されたヒューズ素子をさらに備える。電圧低下回路は、作動時に、ヒューズ素子の溶断電流をヒューズ素子に通流させるように動作する。
【００２２】
このようにすると、第２の電源電圧の異常時には、マイクロコンピュータによる処理を伴うことなく、ヒューズ素子を溶断することによって、第１の電源配線から電圧調整回路への電圧供給を遮断することができる。この結果、電圧調整回路から出力される第２の電源電圧を低下することができるので、より確実に第２の電源電圧の異常時にマイクロコンピュータの動作を停止することができる。
【発明の効果】
【００２３】
この発明によれば、複数の電源電圧を使用する制御装置において、マイクロコンピュータの電源電圧の異常時に、マイクロコンピュータによる処理を伴うことなく、マイクロコンピュータを確実に停止させることができる。
【図面の簡単な説明】
【００２４】
【図１】本発明の実施の形態１に従う制御装置の概略構成を説明するための回路図である。
【図２】本実施の形態２に従う制御装置の構成を説明するための概略的な回路図である。
【図３】本実施の形態３に従う制御装置の構成を説明するための概略的な回路図である。
【図４】本実施の形態３の変形例に従う制御装置の構成を説明するための概略的な回路図である。
【図５】本実施の形態４に従う制御装置の構成を説明するための概略的な回路図である。
【図６】本発明の実施の形態５に従う制御装置の主要部の構成を説明するための回路図である。
【図７】本発明の実施の形態５の変形例に従う制御装置の主要部の構成を説明するための回路図である。
【発明を実施するための形態】
【００２５】
以下に、本発明の実施の形態について図面を参照して詳細に説明する。なお以下では、図中の同一または相当部分には同一符号を伏し、その説明は原則的に繰返さないものとする。
【００２６】
［実施の形態１］
図１は、本発明の実施の形態１に従う制御装置の概略構成を説明するための回路図である。
【００２７】
図１を参照して、実施の形態１に従う制御装置１ａは、電力変換回路２と、電圧レギュレータ４０と、電圧遮断回路５０と、マイクロコンピュータ３００とを有する。制御装置１ａは、図示しない負荷をマイクロコンピュータ３００によって制御する。図１に示すように、制御装置１ａは、電源基板および制御基板に分けて実装することができる。両基板に分割して実装する場合には、電源基板および制御基板の間での電気的コンタクトは、図示しないコネクタによって確保することができる。
【００２８】
電力変換回路２は、ダイオードブリッジ１２と、平滑コンデンサ１４，２４と、トランジスタ１５と、トランス２０と、ダイオードＤ１とを有する。ダイオードブリッジ１２は、図示しないコンセント等を経由して、外部電源１０と電気的に接続される。外部電源１０は、代表的には１００ＶＡＣないし２００ＶＡＣの商用系統電源である。
【００２９】
ダイオードブリッジ１２は、外部電源１０からの交流電圧を整流する。平滑コンデンサ１４は、ダイオードブリッジ１２によって整流された電圧を平滑する。この結果、平滑コンデンサ１４は、外部電源１０による交流電圧の振幅相当の直流電圧（たとえば、１４０Ｖ程度）を保持する。
【００３０】
トランジスタ１５は、周期的にオンオフされて、平滑コンデンサ１４に保持された直流電圧を、パルス状の交流電圧に変換する。トランジスタ１５によって生成された交流電圧は、トランス２０の一次側巻線２１に印加される。
【００３１】
二次側巻線２３には、一次側巻線２１および二次側巻線２３の巻数比に従って振幅が変換された、一次側巻線２１の交流電圧と同一周波数の交流電圧が出力される。トランジスタ１５によってスイッチングされた交流電圧をトランス２０によって伝達することにより、トランス２０を小型化することができる。
【００３２】
二次側巻線２３に出力された交流電圧は、ダイオードＤ１および平滑コンデンサ２４によって、電源配線１００および接地配線１２０間の直流電圧Ｖｓに変換される。以下では、直流電圧Ｖｓを電源電圧Ｖｓとも称する。電源電圧Ｖｓは、たとえば、１５Ｖ程度に制御される。トランジスタ１５のオンオフ制御により、一次側巻線２１に入力される交流電圧の実効値を調整することによって、電源電圧Ｖｓを制御することができる。
【００３３】
電源電圧Ｖｓを供給するための電源配線１００は、電圧遮断回路５０を経由して、電源配線１１０と接続される。後述するように、電圧遮断回路５０は、電圧異常検知回路４００からの検知信号Ｆｖｃによって直接制御されて、作動ないし非作動とされる。電圧異常検知回路４００は、電源基板および制御基板のいずれに搭載することも可能である。電圧異常検知回路４００を制御基板に搭載した場合には、図示しないコネクタを経由して、電源基板上の電圧遮断回路５０へ検知信号Ｆｖｃ伝達することができる。
【００３４】
また、電源基板の二次側巻線２３および制御基板の間では、接地配線１２０（接地電圧ＧＮＤ）は電気的に共通である。一方で、一次側巻線２１と接続された回路群の接地配線１９（接地電圧ＧＮＤ♯）は、接地配線１２０と電気的に絶縁されている。
【００３５】
電圧遮断回路５０の非作動時（通常時）には、トランジスタ５３のオンにより、電源配線１００および１１０は電気的に接続される。これにより、電源配線１１０によって電源電圧Ｖｓが伝達される。すなわち、電源電圧Ｖｓは、電源配線１００，１１０によって、制御装置１ａの素子または回路に電源電圧として供給される。
【００３６】
一方で、電圧遮断回路５０の作動時には、トランジスタ５３のオフにより、電源配線１００および１１０は電気的に切り離される。このとき、電源配線１１０に対する電源電圧Ｖｓ供給は停止される。
【００３７】
制御基板において、電源配線１１０は、電流制限抵抗Ｒ０を経由して、電圧レギュレータ４０の入力（ＩＮ）ノードと接続される。電圧レギュレータ４０は、入力（ＩＮ）ノードの直流電圧を降圧して、出力（ＯＵＴ）ノードから電源電圧Ｖｃｃを出力する。電源電圧Ｖｃｃは、電圧レギュレータ４０によって、たとえば５Ｖに制御される。電圧レギュレータ４０の出力（ＯＵＴ）ノードは、電源配線２００と接続される。電源配線２００は、電源電圧Ｖｃｃを、マイクロコンピュータ３００を始めとする、制御装置１ａの回路ないし素子へ供給する。なお、図示を省略しているが、電源配線１１０と接地配線１２０との間および電源配線２００と接地配線１２０との間には平滑コンデンサが配置されている。
【００３８】
このように、電源電圧Ｖｓが「第１の電源電圧」に対応し、電源配線１１０は「第１の電源配線」に対応する。また、マイクロコンピュータ３００に供給される電源電圧Ｖｃｃは「第２の電源電圧」に対応し、電源配線２００は「第２の電源配線」に対応する。また、電圧遮断回路５０は「電圧低下回路」の一態様に対応する。
【００３９】
ここで、電源電圧Ｖｃｃが変動した場合におけるマイクロコンピュータ３００による負荷（図示せず）の制御について考える。たとえば、図１の構成において、電圧レギュレータ４０の入出力ノード間が短絡すると、マイクロコンピュータ３００の電源である電源電圧Ｖｃｃが上昇してしまう。
【００４０】
一般的に、マイクロコンピュータ３００に対しては、電源電圧の動作保障電圧範囲が、スペック値として予め設定されている。したがって、電源電圧Ｖｃｃが動作保障電圧範囲を外れたときには、マイクロコンピュータ３００が動作を停止することによって負荷の動作も停止される。
【００４１】
しかしながら、電源電圧Ｖｃｃが動作保障電圧範囲外となっても、マイクロコンピュータ３００が必ず動作を停止するとは限らない。このような場合には、電源電圧Ｖｃｃの変動により，マイクロコンピュータ３００による負荷の制御に影響を与える虞がある。
【００４２】
したがって、電源電圧Ｖｃｃの異常を検知するための監視機能を設ける必要がある。こにため、制御装置１ａは、さらに、電圧異常検知回路４００を備える。電圧異常検知回路４００は、分圧回路４１０と、コンパレータ４３０とを有する。電圧異常検知回路４００は、「異常検知回路」に対応する。
【００４３】
分圧回路４１０は、電源配線１１０および接地配線１２０の間に直列接続された抵抗素子ＲａおよびＲｂを有する。抵抗素子Ｒａ，Ｒｂの電気抵抗値についてもＲａ，Ｒｂで表記すると、分圧回路４１０による分圧比Ｄｋ（Ｖｄｖ／Ｖｓ）は、Ｄｋ＝Ｒａ／（Ｒａ＋Ｒｂ）で示される。
【００４４】
分圧回路４１０による分圧電圧Ｖｄｖ（Ｖｄｖ＝Ｖｓ×Ｄｋ）は、抵抗素子Ｒｃを経由して、コンパレータ４３０に入力される。一方、コンパレータ４３０のもう一方の入力端子は、抵抗素子Ｒｄを経由して、電源配線２００と接続される。さらに、コンパレータ４３０は、電源配線１１０および接地配線１２０と接続されて、電源電圧Ｖｓにより動作する。
【００４５】
この結果、コンパレータ４３０は、分圧電圧Ｖｄｖと電源電圧Ｖｃｃとを比較して、電圧比較結果に基づく検知信号Ｆｖｃを出力する。検知信号Ｆｖｃは、論理ハイレベル（以下、「Ｈレベル」とも表記する）または、論理ローレベル（以下、「Ｌレベル」とも表記する）のいずれかに設定される。検知信号ＦｖｃのＨレベルは電源電圧Ｖｓであり、Ｌレベルは接地電圧ＧＮＤである。
【００４６】
コンパレータ４３０は、Ｖｃｃ＞Ｖｄｖのときには、検知信号ＦｖｃをＨレベルに設定する。一方で、Ｖｃｃ＜Ｖｄｖのときには、コンパレータ４３０は、検知信号ＦｖｃをＬレベルに設定する。たとえば、抵抗素子Ｒａ，Ｒｂの抵抗値に応じて、電源電圧Ｖｃｃが所定の判定電圧Ｖｔ（Ｖｔ＝Ｖｄｖ）よりも上昇したときに、検知信号ＦｖｃをＨレベルに設定する。
【００４７】
このように、電圧異常検知回路４００は、電源電圧Ｖｃｃの異常（以下、単に「Ｖｃｃ異常」とも称する）を検知すると、検知信号ＦｖｃをＨレベルに設定する。一方で、Ｖｃｃ異常が検知されないときには、検知信号ＦｖｃはＬレベルに維持される。
【００４８】
以下では、図１の電圧異常検知回路４００のように、電源電圧Ｖｃｃが上昇したとき（Ｖｃｃ＞Ｖｔ）にＶｃｃ異常を検知する構成を例示する。ただし、この例とは反対に、電源電圧Ｖｃｃが判定電圧よりも低下したときに、検知信号ＦｖｃをＨレベルに設定するようにしてもよい。あるいは、コンパレータ４３０を複数個設けることにより、電源電圧Ｖｃｃが一定範囲から上昇または低下したときに、検知信号ＦｖｃをＨレベルに設定してＶｃｃ異常を検出する構成とすることも可能である。実施の形態１に従う制御装置１ａでは、電圧異常検知回路４００からの検知信号Ｆｖｃは、電圧遮断回路５０へ入力される。
【００４９】
次に、電圧遮断回路５０の構成および動作を説明する。
電圧遮断回路５０は、サイリスタ５１と、トランジスタ５２，５３と、抵抗素子５５〜５８を有する。
【００５０】
Ｐ型のトランジスタ５３は、電源配線１００および１１０の間に電気的に接続される。トランジスタ５３のゲート（制御電極）は、ノードＮ２と接続される。抵抗素子５８は、電源配線１００およびノードＮ２の間に接続される。
【００５１】
Ｎ型のトランジスタ５２は、ノードＮ２およびＮ３の間に接続される。トランジスタ５２のゲート（制御電極）は、ノードＮ１と接続される。抵抗素子５５は、電源配線１００およびノードＮ１の間に接続され、抵抗素子５６はノードＮ１およびＮ３の間に接続される。抵抗素子５７は、接地配線１２０とノードＮ３の間に接続される。
【００５２】
サイリスタ５１は、ノードＮ１および接地配線１２０の間に、ノードＮ１から接地配線１２０に向かう順方向として接続される。サイリスタ５１のゲートには、電圧異常検知回路４００からの検知信号Ｆｖｃが入力される。
【００５３】
Ｖｃｃ異常の非検知時には、検知信号ＦｖｃがＬレベルに維持されるので、電圧遮断回路５０は非作動となる。電圧遮断回路５０の非作動時には、サイリスタ５１はオフ状態を維持する。このとき、トランジスタ５２がオンされるように、抵抗素子５５〜５７の抵抗値は設計される。さらに、抵抗素子５７，５８の抵抗値は、トランジスタ５２のオン時に、ノードＮ２（トランジスタ５３のゲート）の電圧が、電源電圧Ｖｓからしきい値電圧を超えて低下するように設計される。これにより、トランジスタ５２のオンに応じてトランジスタ５３がオンすることにより、電源配線１００および１１０の間に電流経路が形成される。これにより、制御基板の電源配線１１０に対して電源電圧Ｖｓが供給される。
【００５４】
電圧レギュレータ４０は、電圧遮断回路５０の非作動時には、電源配線１１０に供給された電源電圧Ｖｓを降圧して、マイクロコンピュータ３００の電源電圧Ｖｃｃを所定の電圧レベル（たとえば、５Ｖ程度）に制御することができる。
【００５５】
これに対して、Ｖｃｃ異常が検知されて検知信号ＦｖｃがＨレベルに設定されると電圧遮断回路５０が作動されて、サイリスタ５１はオンする。抵抗素子５５の抵抗値は、サイリスタ５１のオン時に、ノードＮ１の電圧がトランジスタ５２をオフする電圧となるように設計される。これにより、サイリスタ５１がオンするとともにトランジスタ５２がオフする。これに応じて、ノードＮ２は、抵抗素子５８を経由して電源配線１００（電源電圧Ｖｓ）と接続されるので、トランジスタ５３はオフされる。
【００５６】
この結果、電圧遮断回路５０の作動時、すなわち、Ｖｃｃ異常の検知時には、サイリスタ５１のオンおよびトランジスタ５２のオフに応じてトランジスタ５３がオフすることにより、電源配線１００および１１０の間の電流経路が遮断される。これにより、制御基板の電源配線１１０に対する電源電圧Ｖｓの供給が停止される。
【００５７】
サイリスタ５１は、一旦オンすると通過電流が０になるまでオン状態を維持する。したがって、検知信号Ｆｖｃが一旦Ｈレベルに設定されると、電源電圧Ｖｓが低下するまでの間、サイリスタ５１はオン状態に維持されて、トランジスタ５３による電流経路の遮断が維持される。
【００５８】
したがって、電圧異常検知回路４００によってＶｃｃ異常が検知されると、電圧遮断回路５０の作動によって電源配線１１０への電圧供給が停止される。これにより、電源配線１１０から電圧レギュレータ４０へ入力電圧が低下するので、電圧レギュレータ４０から出力される電源電圧Ｖｃｃが低下する。最終的には、電圧レギュレータ４０の出力電圧が０（接地電圧ＧＮＤ）となることにより、電源電圧Ｖｃｃを０（接地電圧ＧＮＤ）まで低下することができる。すなわち、電圧遮断回路５０は、電源電圧Ｖｓの低下を通じて電源電圧Ｖｓを低下させるように動作する。
【００５９】
このように、実施の形態１に従う制御装置１ａによれば、電圧異常検知回路４００がＶｃｃ異常を検知すると、マイクロコンピュータ３００による処理を伴うことなく、検知信号Ｆｖｃに応じて電圧遮断回路５０を作動させることにより、電源配線１１０に対する電源配線１００からの電源電圧Ｖｓの供給を遮断することができる。この結果、電源配線１１０の電圧を低下させることにより、マイクロコンピュータ３００が動作不可となる電圧領域まで電源電圧Ｖｃｃを低下させることにより、マイクロコンピュータ３００の動作を確実に停止することができる。
【００６０】
特に、マイクロコンピュータ３００による処理を伴うことなく、電源電圧Ｖｃｃを低下させる動作を起動することができるので、マイクロコンピュータ３００の動作が暴走等によって不安定となっていても、マイクロコンピュータ３００の動作を確実に停止させることができる。
【００６１】
［実施の形態２］
以下では、実施の形態１で説明した、電源電圧Ｖｃｃの異常検知時にマイクロコンピュータ３００が動作不可となる電圧領域まで電源電圧Ｖｃｃを低下させるための電源構成のバリエーションを説明する。
【００６２】
図２は、本実施の形態２に従う制御装置の構成を説明するための概略的な回路図である。
【００６３】
図２を図１と比較して、実施の形態２に従う制御装置１ｂでは、実施の形態１に従う制御装置１ａに対して、電源基板側の構成が異なる。具体的には、トランス２０の二次側巻線２３において、図１に示した電圧遮断回路５０の配置が省略されている。なお、電圧遮断回路５０が配置されない構成では、図１における電源配線１００および１１０を区別する必要がない。したがって、以下では、電力変換回路２は、電源配線１１０に対して電源電圧Ｖｓを供給するものとする。
【００６４】
さらに、制御装置１ｂでは、電圧遮断回路５０に代えて、検知信号Ｆｖｃに応じて、電源電圧Ｖｓの低下を通じて電源電圧Ｖｓを低下させるための電圧低下回路７０が配置されている。
【００６５】
また、図２では、電力変換回路２について、図１では省略された、トランジスタ１５のオンオフを制御するための構成が記載されている。まず、この構成について説明する。
【００６６】
トランス２０には、一次側巻線２２がさらに設けられている。一次側巻線２２には、一次側巻線２１および２２の巻数比に従って振幅が変換された、一次側巻線２１の交流電圧と同一周波数の交流電圧が出力される。一次側巻線２１および２２の間では、接地配線１９（接地電圧ＧＮＤ♯）は共通である。一次側巻線２２に出力された交流電圧は、ダイオードＤ２および平滑コンデンサ６２によって、電源配線６５および接地配線１９間の直流電圧Ｖｄに変換される。直流電圧Ｖｄは、トランジスタ１５のオンオフによる電力変換回路２の電力変換動作を制御するための制御ＩＣ（integrated  Circuit）の電源電圧として用いられる。
【００６７】
制御ＩＣ６０は、電源電圧Ｖｓを制御するために、トランジスタ１５のオンオフを制御するための制御信号を発生する。この制御信号は、トランジスタ１５のゲートへ入力される。
【００６８】
たとえば、制御ＩＣ６０は、電源電圧Ｖｓが目標値（たとえば、１５Ｖ）よりも低下したときには、一次側巻線２１に入力される交流電圧の実効値を増加するように、トランジスタ１５のオンオフを制御する。反対に、制御ＩＣ６０は、電源電圧Ｖｓが目標値（たとえば、１５Ｖ）よりも上昇したときには、一次側巻線２１に入力される交流電圧の実効値を減少させるように、トランジスタ１５のオンオフを制御する。たとえば、トランジスタ１５による交流電圧を発生するための周期的なオンオフ制御において、オン期間の幅を増減することによって、交流電圧の実効値を増減することができる。
【００６９】
また、トランジスタ１５の通過電流を検出するための電流検出抵抗１６が、トランジスタ１５および接地配線１９の間に接続される。制御ＩＣ６０は、電流検出抵抗１６における電圧降下量に基づいて、トランジスタ１５の通過電流を検出することができる。
【００７０】
さらに、制御ＩＣ６０は、ラッチ端子６１を有する。ラッチ端子６１に所定以上の電圧が印加されると、制御ＩＣ６０は、トランジスタ１５のスイッチング動作を停止する。すなわち、トランジスタ１５がオフに維持される。一旦、ラッチ端子６１に所定以上の電圧が印加されると、制御ＩＣ６０は、ラッチ機能により、電源電圧Ｖｄの低下によってリセットされるまでの間、トランジスタ１５をオフに維持する動作を継続するように構成されている。
【００７１】
トランジスタ１５がオフ状態に維持されると、一次側巻線２１には、平滑コンデンサ１４によって保持された直流電圧が印可される。これにより、一次側巻線２２および二次側巻線２３には、電圧が生じなくなる。したがって、電力変換回路２による電力変換が停止されて、電源電圧Ｖｓの生成が停止される。
【００７２】
電圧低下回路７０は、電圧遮断回路５０と同様に、電圧異常検知回路４００からの検知信号Ｆｖｃに応じて、マイクロコンピュータ３００による処理を伴うことなく作動する。電圧低下回路７０は、トランジスタ７１と、抵抗素子７２と、フォトカプラ７５とを有する。フォトカプラ７５は、電流通流時に発光するフォトダイオード７５ａと、フォトダイオード７５ａの発光に応じてオンするフォトトランジスタ７５ｂとを有する。
【００７３】
抵抗素子７２、フォトダイオード７５ａおよびトランジスタ７１は、電源配線１１０および接地配線１２０の間に直列に接続されている。トランジスタ７１のベース（制御電極）には、検知信号Ｆｖｃが入力される。フォトトランジスタ７５ｂは、電源配線６５およびラッチ端子６１の間に接続される。
【００７４】
検知信号ＦｖｃがＬレベルのとき（Ｖｃｃ正常時）には、トランジスタ７１がオフされるので、フォトダイオード７５ａには電流が流れないため、フォトトランジスタ７５ｂはオフ状態に維持される。このため、ラッチ端子６１は、電源配線６５から電気的に切り離されるので、ラッチ機能はオンされない。したがって、トランジスタ１５は、電源電圧Ｖｓを目標値に制御するようにオンオフを制御される。
【００７５】
これに対して、Ｖｃｃ異常が検知されて、検知信号ＦｖｃがＨレベルに設定されると、電圧低下回路７０が作動する。電圧低下回路７０の作動時には、トランジスタ７１がオンされることにより、フォトダイオード７５ａに電流が流れる。このため、フォトダイオード７５ａの発光に応じて、フォトトランジスタ７５ｂがオンする。ラッチ端子６１は、電源配線６５と電気的に接続されることによって、所定以上の電圧を印可される。
【００７６】
これにより、制御ＩＣ６０のラッチ機能がオンされて、トランジスタ１５をオフ状態に維持する動作、すなわち、電力変換回路２での電力変換を停止する動作が継続的に実行される。この結果、電力変換回路２による電源電圧Ｖｓの生成が停止されることにより、電源配線１１０から電圧レギュレータ４０へ入力電圧が低下するので、電圧レギュレータ４０から出力される電源電圧Ｖｃｃが低下する。最終的には、マイクロコンピュータ３００が動作不可となる電圧領域まで電源電圧Ｖｃｃを低下させることができる。
【００７７】
このように、実施の形態２に従う制御装置１ｂにおいては、電圧異常検知回路４００からの検知信号Ｆｖｃに応じて電圧低下回路７０を作動させて、制御ＩＣ６０のラッチ機能により、電源配線１１０に対する電力変換回路２からの電源電圧Ｖｓの供給を停止することができる。この結果、実施の形態１と同様に、検知信号Ｆｖｃに応じて電源配線１１０の電圧を低下させることにより、マイクロコンピュータ３００による処理を伴うことなく、マイクロコンピュータ３００が動作不可となる電圧領域まで電源電圧Ｖｃｃを低下させることができる。すなわち、マイクロコンピュータ３００の動作を確実に停止することができる。
【００７８】
なお、実施の形態２に従う制御装置１ｂでは、電圧遮断回路５０（図１）よりも構成素子数の少ない電圧低下回路７０の配置によって、実施の形態１に従う制御装置１ａと同様に、Ｖｃｃ異常の検知時にマイクロコンピュータ３００の動作を確実に停止することができるので、装置の小型化の点で有利である。
【００７９】
［実施の形態３］
図３は、本発明の実施の形態３に従う制御装置の概略構成を説明するための回路図である。
【００８０】
図３および図２を参照して、実施の形態３に従う制御装置１ｃは、実施の形態２に従う制御装置１ｂと比較して、電圧低下回路７０に代えて電圧低下回路９０を含む。また、電力変換回路２について、図７では記載を省略した、トランジスタ１５のオンオフによって電源電圧Ｖｓを制御するための詳細な構成が記載されている。具体的には、制御ＩＣ６０の制御入力端子６３に接続されたＶｓ検出回路８０が示されている。
【００８１】
Ｖｓ検出回路８０は、シャントレギュレータ８２と、抵抗素子８３，８４と、フォトカプラ８５とを有する。フォトカプラ８５は、電流通流時に発光するフォトダイオード８５ａと、フォトダイオード８５ａの発光に応じてオンするフォトトランジスタ８５ｂとを有する。
【００８２】
抵抗素子８３および８４は、電源配線１１０および接地配線１２０の間に直列に接続される。抵抗素子８３および８４による電源電圧Ｖｓの分圧電圧が、シャントレギュレータ８２のリファレンス（Ｒ）端子に入力される。フォトダイオード８５ａは、電源配線１１０および接地配線１２０の間に、シャントレギュレータ８２と直列に接続される。
【００８３】
制御ＩＣ６０側において、フォトカプラ８５のフォトトランジスタ８５ｂは、電源配線６５および接地配線１９の間に、抵抗素子６４と直列に接続される。抵抗素子６４は、制御ＩＣ６０の制御入力端子６３と接地配線１９の間に接続される。制御ＩＣ６０は、制御入力端子６３の電圧に基づいて、フォトトランジスタ８５ｂのオン／オフを検出することができる。
【００８４】
Ｖｓ検出回路８０において、電源配線１１０の電圧（電源電圧Ｖｓ）が基準よりも上昇すると、シャントレギュレータ８２によって、カソード（Ｋ）端子およびアノード（Ａ）端子間に電流が生じる。これに応じて、フォトダイオード８５ａが発光することにより、フォトトランジスタ８５ｂがオンする。
【００８５】
一方で、電源配線１１０の電圧（電源電圧Ｖｓ）が基準よりも低下すると、シャントレギュレータ８２のカソード（Ｋ）端子およびアノード（Ａ）端子間に電流は生じない。したがって、フォトダイオード８５ａは発光せず、フォトトランジスタ８５ｂはオンされる。このように、Ｖｓ検出回路８０の動作によって、制御入力端子６３には、Ｖｓ上昇時にはＨレベル電圧（Ｖｄ）が入力される一方で、Ｖｓ低下時にはＬレベル電圧（ＧＮＤ♯）が入力される。このように、Ｖｓ検出回路８０は、電源電圧Ｖｓのフィードバック信号を制御ＩＣ６０へ入力する機能を有する。
【００８６】
制御ＩＣ６０は、制御入力端子６３にＬレベル電圧が入力されると、一次側巻線２１に入力される交流電圧の実効値を増加するように、トランジスタ１５のオンオフを制御する。一方で、制御入力端子６３にＨレベル電圧が入力されると、トランジスタ１５のオンオフは、一次側巻線２１に入力される交流電圧の実効値を低下するように制御される。このようにして、制御ＩＣ６０は、トランジスタ１５のオンオフ制御によって、電源電圧Ｖｓをフィードバック制御することができる。すなわち、電力変換回路２は、Ｖｓ検出回路８０からのフィードバック信号に基づいて、電源電圧Ｖｓを制御する。
【００８７】
なお、Ｖｓ検出回路８０を用いた制御ＩＣ６０による電源電圧Ｖｓのフィードバック制御は、Ｖｃｃ異常検知時の制御動作と直接的に関係がないため、実施の形態１，２では説明を省略したが、他の実施の形態に従う制御装置においても、同様の構成が具備されているものとする。
【００８８】
電圧異常検知回路４００は、図１および図２の構成と比較して、コンパレータ４３０からの検知信号Ｆｖｃを保持するためのラッチ回路４４０をさらに有する。ラッチ回路４４０は、検知信号ＦｖｃがＬレベルからＨレベルに変化したときに、検知信号ＦｖｃをＨレベルに維持するように構成される。ラッチ回路４４０による保持動作は、電源電圧Ｖｓが低下するまでの間継続される。
【００８９】
電圧低下回路９０は、電圧異常検知回路４００からの検知信号Ｆｖｃに応じて作動する。電圧低下回路９０は、Ｎ型のトランジスタ９２と、抵抗素子９４とを有する。トランジスタ９２は、シャントレギュレータ８２のカソード（Ｋ）端子およびアノード（Ａ）端子の間に接続される。
【００９０】
トランジスタ９２のゲート（制御電極）には、ラッチ回路４４０を通過した検知信号Ｆｖｃが入力される。抵抗素子９４は、トランジスタ９２のゲート（制御電極）を接地電圧ＧＮＤにプルダウンする。
【００９１】
電源電圧Ｖｃｃの正常時（Ｖｃｃ異常非発生時）には、検知信号ＦｖｃがＬレベルに設定されるので、トランジスタ９２はオフされる。したがって、Ｖｓ検出回路８０は、上述した、電源電圧Ｖｓを目標値に制御するためのフィードバック信号を生成するように動作する。
【００９２】
これに対して、Ｖｃｃ異常発生時には、検知信号ＦｖｃがＨレベルに設定されるので、トランジスタ９２がオンされる。これにより、シャントレギュレータ８２のカソード（Ｋ）端子およびアノード（Ａ）端子が短絡されるので、フォトダイオード８５ａには電流が流れ続ける。
【００９３】
したがって、フォトトランジスタ８５ｂも継続的にオンされるため、制御ＩＣ６０の制御入力端子６３に対して、Ｖｓ検出回路８０からのフィードバック信号としては、電源電圧Ｖｓの上昇を示すＨレベル電圧が継続的に入力される。この結果、トランジスタ１５は、一次側巻線２１に入力される交流電圧の実効値を制御上の最小値に維持するように制御される。このとき、電源電圧Ｖｓは、たとえば、通常時の１５Ｖに対して、２〜３Ｖ程度まで低下する。
【００９４】
これにより、電源配線１１０から電圧レギュレータ４０へ入力電圧が低下するので、電圧レギュレータ４０から出力される電源電圧Ｖｃｃが低下する。この結果、マイクロコンピュータ３００が動作不可となる電圧領域まで電源電圧Ｖｃｃを低下させることができる。
【００９５】
このように、実施の形態３に従う制御装置１ｃにおいては、ラッチ回路４４０を通過した検知信号Ｆｖｃに応じて電圧低下回路９０を作動させて、Ｖｓ検出回路８０から制御ＩＣ６０へのフィードバック信号を変換することによって、電力変換回路２によって供給される電源電圧Ｖｓを制御上の最小レベルまで低下することができる。この結果、実施の形態１と同様に、電圧異常検知回路４００からの検知信号Ｆｖｃに応じて、マイクロコンピュータ３００による処理を伴うことなく、マイクロコンピュータ３００が動作不可となる電圧領域まで電源電圧Ｖｃｃを低下させることができる。すなわち、マイクロコンピュータ３００の動作を確実に停止することができる。
【００９６】
［実施の形態３の変形例］
図４は、本発明の実施の形態３の変形例に従う制御装置の概略構成を説明するための回路図である。
【００９７】
図４および図３を参照して、実施の形態３の変形例に従う制御装置１ｄでは、実施の形態３に従う制御装置１ｃと比較して、電圧低下回路９０（図３）に代えて、電圧低下回路９０♯が配置される。制御装置１ｄのその他の部分の構成は、図３に示した制御装置１ｃと同様である。すなわち、制御装置１ｅにおいても、電圧異常検知回路４００はラッチ回路４４０を有するように構成される。
【００９８】
電圧低下回路９０♯は、電圧低下回路９０と同様に、電圧異常検知回路４００からの検知信号Ｆｖｃに応じて作動する。電圧低下回路９０♯は、Ｎ型のトランジスタ９２と、抵抗素子９４とを有する。トランジスタ９２は、シャントレギュレータ８２のリファレンス（Ｒ）端子およびアノード（Ａ）端子の間に接続される。抵抗素子９４は、電圧低下回路９０（図３）と同様に、トランジスタ９２のゲート（制御電極）を接地電圧ＧＮＤにプルダウンする。
【００９９】
電圧低下回路９０♯は、Ｖｃｃ異常発生時に検知信号ＦｖｃがＨレベルに設定されると、トランジスタ９２のオンにより、シャントレギュレータ８２のリファレンス（Ｒ）端子およびアノード（Ａ）端子を短絡する。これにより、シャントレギュレータ８２は、リファレンス（Ｒ）端子の入力電圧が低下したことを検知するので、カソード（Ｋ）端子およびアノード（Ａ）端子間には電流が発生されない。
【０１００】
このため、フォトダイオード８５ａに電流が流れない状態が維持されるので、フォトトランジスタ８５ｂも継続的にオフされる。この結果、制御ＩＣ６０の制御入力端子６３には、Ｖｓ検出回路８０からのフィードバック信号として、電源電圧Ｖｓの低下を示すＬレベル電圧が継続的に入力される。この結果、トランジスタ１５は、一次側巻線２１に入力される交流電圧の実効値を上昇するように制御され続ける。
【０１０１】
通常、制御ＩＣ６０には、電力変換回路２内の素子の過電流や過高温の発生を検知して、電力変換回路２の動作を自動的に停止する安全機能が具備されている。したがって、実施の形態３の変形例３に従う制御装置１ｄでは、Ｖｃｃ異常発生時に検知信号ＦｖｃがＨレベルに設定されると、電源電圧Ｖｓを上昇させるための制御動作が強制的に継続されることにより、電力変換回路２内で過電流や過高温が発生することになる。これにより、制御ＩＣ６０による既存の安全機能を作動させることによって、電力変換回路２による電力変換が停止される。
【０１０２】
この結果、電力変換回路２による電源電圧Ｖｓの生成が停止されることにより、電圧レギュレータ４０への入力電圧が低下するので、電圧レギュレータ４０が出力する電源電圧Ｖｃｃは低下する。最終的には、マイクロコンピュータ３００が動作不可となる電圧領域まで電源電圧Ｖｃｃを低下させることができる。
【０１０３】
このように、実施の形態３に変形例に従う制御装置１ｄにおいても、実施の形態３に従う制御装置１ｃと同様に、マイクロコンピュータ３００による処理を伴うことなく、電圧異常検知回路４００からの検知信号Ｆｖｃに応じて電圧低下回路９０♯を作動させることにより、マイクロコンピュータ３００が動作不可となる電圧領域まで電源電圧Ｖｃｃを低下させることができる。
【０１０４】
［実施の形態４］
実施の形態４では、昇圧回路が設けられた構成を有する制御装置における、Ｖｃｃ異常検知時に電源電圧Ｖｃｃを低下させるための電源構成について説明する。
【０１０５】
図５は、本発明の実施の形態４に従う制御装置の回路構成図である。
図５を参照して、実施の形態４に従う制御装置１ｅは、昇圧回路５００を含む。昇圧回路５００は、高圧負荷６００に対して、外部電源１０の交流電圧の振幅相当の直流電圧よりも高い直流電圧Ｖｄｃを供給できるように構成されている。たとえば、外部電源１０の交流電圧振幅が１４０Ｖ程度である場合に、昇圧回路５００がＶｄｃ＝２８０Ｖ程度の直流電圧を発生することにより、高圧負荷６００の動作電源が供給される。
【０１０６】
実施の形態４に従う制御装置１ｅでは、外部電源１０と、実施の形態１〜３と同様の構成を有する電力変換回路２との間に昇圧回路５００が配置される。したがって、電力変換回路２には、ダイオードブリッジ１２の出力電圧ではなく、昇圧回路５００から出力された直流電圧Ｖｄｃが入力される。電力変換回路２は、実施の形態１〜３と同様に、昇圧回路５００が出力する直流電圧ＶｄｃをＤＣ／ＡＣ変換（トランジスタ１５）およびＡＣ／ＤＣ変換（ダイオードＤ１および平滑コンデンサ２４）することによって電源電圧Ｖｓを供給する。電源電圧Ｖｓを、マイクロコンピュータ３００に供給される電源電圧Ｖｃｃに変換するための構成は、実施の形態１〜３およびそれらの変形例と同様である。
【０１０７】
次に、昇圧回路５００の構成および動作について説明する。
昇圧回路５００は、電源配線５０１と、平滑コンデンサ５０２と、リアクトル５０６と、ダイオード５０８と、トランジスタ５１０と、電流検出抵抗５１２と、平滑コンデンサ５１５と、制御ＩＣ５５０とを有する。制御ＩＣ５５０の動作電源は、制御ＩＣ６０と共通に、電源配線６５から供給される。
【０１０８】
電源配線５０１は、ダイオードブリッジ１２によって整流された交流電圧を受ける。平滑コンデンサ５０２は、電源配線４０１および接地配線１９の間に接続される。すなわち平滑コンデンサ５０２は、外部電源１０の交流電圧の振幅相当の直流電圧（たとえば、約１４０Ｖ）を保持する。
【０１０９】
リアクトル５０６およびダイオード５０８は、電源配線５０１および５２０の間に直列に接続される。トランジスタ５１０は、リアクトル５０６およびダイオード５０８の接続ノードと接地配線１９との間に、電流検出抵抗５１２と直列に接続される。電流検出抵抗５１２は、制御ＩＣ５５０の入力端子と接地配線１９の間に接続される。制御ＩＣ５５０は、当該入力端子の電圧、すなわち、電流検出抵抗５１２の電圧降下量に基づいて、トランジスタ５１０の通過電流を検出することができる。
【０１１０】
トランジスタ５１０のオン期間およびオフ期間を周期的に設けることによって、いわゆる昇圧チョッパ回路の機能が実現されて、電源配線５０１の電圧よりも高い直流電圧を電源配線５２０に発生することができる。
【０１１１】
昇圧チョッパ回路では、トランジスタ５１０を周期的にオンオフ（スイッチング）するとともに、スイッチング周期に対するオン期間の時間比（デューティ比）を制御することによって、電源配線５２０に出力される直流電圧Ｖｄｃを制御することができる。また、昇圧回路５００では、リアクトル５０６の電流波形を、ダイオードブリッジ１２からの出力電圧（全波整流電圧）と同一周波数かつ同一位相の電流に制御することによって、力率を高めることができる。この場合には、全波整流波形の電流波高値の制御によって、直流電圧Ｖｄｃを制御することができる。このように、昇圧回路５００は、昇圧機能のオン時には、制御ＩＣ５５０によるトランジスタ５１０のオンオフ制御により、昇圧された直流電圧Ｖｄｃを目標電圧（たとえば、２８０Ｖ）に制御する。
【０１１２】
一方で、昇圧機能オフ時には、トランジスタ５１０がオフに維持されるので、直流電圧Ｖｄｃは、平滑コンデンサ５０２に保持された直流電圧と同等となる。すなわち、昇圧機能オフには、電源電圧Ｖｄｃは、昇圧機能オン時よりも低下する。
【０１１３】
昇圧回路５００における昇圧機能のオンオフは、マイクロコンピュータ３００からの昇圧停止信号Ｓｂｓによって制御される。昇圧停止信号Ｓｂｓは、フォトカプラ５６０を経由して制御ＩＣ５５０に伝達される。フォトカプラ５６０は、フォトダイオード５６０ａおよびフォトトランジスタ５６０ｂを有する。フォトダイオード５６０ａは、電源配線１１０および接地配線１２０の間に、Ｎ型のトランジスタ５７０と直列に接続される。トランジスタ５７０のベース（制御電極）には、マイクロコンピュータ３００からの昇圧停止信号Ｓｂｓが入力される。
【０１１４】
マイクロコンピュータ３００は、昇圧回路５００の昇圧機能をオフする際に昇圧停止信号ＳｂｓをＨレベルに設定する。たとえば、制御装置１ｅが搭載された機器の待機動作時（スタンバイモード）において、昇圧停止信号ＳｂｓはＨレベルに設定される。通常時には、昇圧停止信号Ｓｂｓは、Ｌレベルに設定される。
【０１１５】
昇圧停止信号ＳｂｓのＬレベル時には、トランジスタ５７０がオフされるため、フォトダイオード５６０ａには電流が流れず、フォトトランジスタ５６０ｂはオフされる。これにより、制御ＩＣ５５０の入力端子５５２の電圧は、接地電圧ＧＮＤ♯から上昇する。これに応じて、制御ＩＣ５５０は、昇圧回路５００の昇圧機能をオンする。
【０１１６】
一方で、昇圧停止信号ＳｂｓがＨレベルに設定されると、トランジスタ５７０がオンされることにより、フォトダイオード５６０ａに電流が流れるのに応じて、フォトトランジスタ５６０ｂがオンする。これにより、制御ＩＣ５５０の入力端子５５２には、接地配線１９によって、接地電圧ＧＮＤ♯が入力される。これに応じて、制御ＩＣ５５０は、昇圧回路５００の昇圧機能をオフする。
【０１１７】
さらに、制御装置１ｅには、電圧異常検知回路４００からの検知信号Ｆｖｃに応じて作動する電圧低下回路９１が設けられる。電圧低下回路９１は、電源配線１１０および接地配線１２０の間に、トランジスタ５７０に対して並列に接続されたＮ型のトランジスタ５８０を有する。トランジスタ５８０のベース（制御電極）には、検知信号Ｆｖｃが入力される。なお、制御装置１ｅにおいても、電圧異常検知回路４００はラッチ回路４４０を有するように構成される。
【０１１８】
電圧異常検知回路４００がＶｃｃ異常を検知すると、検知信号ＦｖｃをＨレベルに設定することにより、トランジスタ５８０がオンする。すなわち、電圧低下回路９１の作動時には、昇圧停止信号ＳｂｓをＨレベルに設定したときと同様に、制御ＩＣ５５０の入力端子５５２には、接地配線１９によって接地電圧ＧＮＤ♯が入力される。これにより、Ｖｃｃ異常検知時には、昇圧回路５００の昇圧機能をオフすることができる。
【０１１９】
昇圧回路５００の昇圧機能がオフされて、電力変換回路２の入力電圧に相当する直流電圧Ｖｄｃが低下すると、同一電力を供給するために要する電流値が増加するため、トランジスタ１５を流れる電流Ｉｃが増大する。たとえば、電源電圧Ｖｄｃが２８０Ｖから１４０Ｖに低下すると、Ｉｃは約２倍に増加する。
【０１２０】
これにより、電力変換回路２の制御ＩＣ６０が、トランジスタ１５を通過する電流Ｉｃの過電流を検知して、電力変換動作を停止する。この結果、電力変換回路２による電源電圧Ｖｓの生成が停止されることにより、電源配線１１０から電圧レギュレータ４０へ入力電圧が低下するので、電圧レギュレータ４０から出力される電源電圧Ｖｃｃが低下する。最終的には、マイクロコンピュータ３００が動作不可となる電圧領域まで電源電圧Ｖｃｃを低下させることができる。
【０１２１】
なお、スタンバイ動作時に昇圧停止信号ＳｂｓがＨレベルに設定される際には、制御装置１ｅでの消費電力が小さい。このため、電源電圧Ｖｄｃが低下しても、電流Ｉｃが過電流検知レベルまで上昇することはなく、電力変換回路２による電力変換動作は継続される。
【０１２２】
このように、実施の形態４に従う制御装置１ｅでは、昇圧回路を具備する構成において、Ｖｃｃ異常検知時には、電圧異常検知回路４００からの検知信号Ｆｖｃに応じて昇圧回路５００の昇圧機能を停止させることにより、マイクロコンピュータ３００による処理を伴うことなく、マイクロコンピュータ３００が動作不可となる電圧領域まで電源電圧Ｖｃｃを低下させることができる。
【０１２３】
なお、図６では、昇圧停止信号Ｓｂｓに応じてオンするトランジスタ５７０とは別個に、検知信号Ｆｖｃに応じてオンするトランジスタ５８０を配置する構成を例示したが、昇圧停止信号Ｓｂｓおよび検知信号Ｆｖｃの論理和（ＯＲ）信号をトランジスタ５７０のベース（制御電極）に入力する回路構成とすれば、トランジスタ５８０の配置を省略することも可能である。このように、実施の形態４に従う制御装置１ｅでは、昇圧回路を具備する構成において、追加される回路素子を抑制した上で、Ｖｃｃ異常検知時にマイクロコンピュータ３００が動作不可となる電圧領域まで電源電圧Ｖｃｃを低下させることができる。
【０１２４】
［実施の形態５］
実施の形態５では、ヒューズ素子を用いて電源電圧Ｖｃｃを確実に低下させる回路構成について説明する。
【０１２５】
図６は、本発明の実施の形態５に従う制御装置の主要部の構成を説明するための回路図である。図６には、トランス２０の二次側巻線２３に接続される、電源配線１１０よりも後段側の構成が示される。なお、実施の形態５に従う制御装置において、電源配線１１０に対して電源電圧Ｖｓを供給するための構成は任意である。たとえば、図１〜図５と同様の電力変換回路２（または、電力変換器２および昇圧回路５００）によって、電源電圧Ｖｓを供給することができる。
【０１２６】
図６を参照して、実施の形態５に従う制御装置では、ヒューズ素子ＦＳが、電源配線１１０に介挿接続される。すなわち、電力変換回路２によって電源配線１１０に出力された電源電圧Ｖｓは、ヒューズ素子ＦＳを経由して、電圧レギュレータ４０の入力（Ｎ）ノードに供給される。
【０１２７】
さらに、実施の形態５に従う制御装置には、ヒューズ素子ＦＳを溶断するための通電回路３５０が配置される。通電回路３５０は、抵抗素子Ｒｆ０〜Ｒｆ２と、ｎｐｎ型トランジスタＱｆ１とを有する。
【０１２８】
抵抗素子Ｒｆ１，Ｒｆ２は、電源配線２００および接地配線１２０に直列に接続されて、電源電圧Ｖｃｃの分圧回路を構成する。抵抗素子Ｒｆ０およびトランジスタＱｆ１は、電源配線１１０および接地配線１２０の間に、ヒューズ素子ＦＳに対して直列に接続される。
【０１２９】
トランジスタＱｆ１は、ｎｐｎトランジスタにより構成される。トランジスタＱｆ１のベース（制御電極）には、抵抗素子Ｒｆ１およびＲｆ２による電源電圧Ｖｃｃの分圧電圧が入力される。したがって、電源電圧Ｖｃｃの上昇に応じて、トランジスタＱｆ１がオンする。
【０１３０】
トランジスタＱｆ１がオンすると、電源配線１１０からヒューズ素子ＦＳを経由して、接地配線１２０に至る通電経路が形成される。抵抗素子Ｒｆ０の電気抵抗は、当該通電経路の電流量がヒューズ素子ＦＳを溶断するのに十分なレベルとなるように設計される。
【０１３１】
したがって、図６に示された通電回路３５０によれば、電源電圧Ｖｃｃが所定電圧よりも上昇したときに、Ｖｃｃ異常を検知してヒューズ素子ＦＳを溶断することができる。この所定電圧は、抵抗素子Ｒｆ１，Ｒｆ２による分圧比によって調整できる。このように、通電回路３５０は、「電圧異常検知回路」および「電圧低下回路」の機能を併せ持つように構成されている。
【０１３２】
実施の形態５における制御装置では、電源電圧Ｖｃｃが所定電圧よりも上昇したときに、通電回路３５０が、Ｖｃｃ異常を検知してヒューズ素子ＦＳを溶断する。これにより、電源電圧Ｖｓの供給が遮断されることによって電源配線１１０から電圧レギュレータ４０へ入力電圧が低下するので、電圧レギュレータ４０が出力する電源電圧Ｖｃｃは低下する。最終的には、マイクロコンピュータ３００が動作不可となる電圧領域まで、電源電圧Ｖｃｃを低下させることができる。特に、マイクロコンピュータ３００による処理を伴うことなく、ヒューズ素子の溶断によってＶｃｃ異常検知時にマイクロコンピュータ３００の動作を確実に停止することができる。
【０１３３】
［実施の形態５の変形例］
図７は、本発明の実施の形態５の変形例に従う制御装置の主要部の構成を示す回路図である。
【０１３４】
図７を図６と比較して、実施の形態５の変形例では、電源電圧Ｖｃｃが低下したときにヒューズ素子ＦＳを溶断するための構成について説明する。
【０１３５】
実施の形態５の変形例では、図６に示した構成と比較して、通電回路３５０に代えて通電回路３５０♯が設けられる。ヒューズ素子ＦＳは、図６の構成と同様に、電源配線１１０に介挿接続されている。
【０１３６】
通電回路３５０♯は、トランジスタＱｆ１，Ｑｆ２と、抵抗素子Ｒｆ１〜Ｒｆ６とを有する。抵抗素子Ｒｆ０およびｎｐｎ型トランジスタＱｆ１は、図５の構成と同様に、電源配線１１０および接地配線１２０の間にヒューズ素子ＦＳと直列に接続される。
【０１３７】
抵抗素子Ｒｆ１およびＲｆ２は、電源配線２００および接地配線１２０に直列に接続されて、電源電圧Ｖｃｃの分圧電圧をノードＮｂに出力する。この分圧電圧は、抵抗素子Ｒｆ５を経由して、ｐｎｐ型トランジスタＱｆ２のベース（制御電極）に入力される。
【０１３８】
抵抗素子Ｒｆ３およびＲｆ４は、電源配線１１０および接地配線１２０に直列に接続されて、電源電圧Ｖｃｃを分圧した基準電圧ＶｓをノードＮａに出力する。トランジスタＱｆ２は、ｐｎｐ型トランジスタで構成されて、ノードＮａおよび抵抗素子Ｒａの間に接続される。
【０１３９】
ｐｎｐ型トランジスタＱｆ２は、基準電圧Ｖｓに対して、電源電圧Ｖｃｃの分圧電圧が低下するとオンする。ｐｎｐ型トランジスタＱｆ２のオンに応じてｎｐｎ型トランジスタＱｆ１がオンすることにより、ヒューズ素子ＦＳを溶断するための通電経路が形成される。
【０１４０】
したがって、通電回路３５０♯は、電源電圧Ｖｃｃが所定電圧よりも低下したときに、ヒューズ素子ＦＳを溶断することができる。この所定電圧は、抵抗素子Ｒｆ１，Ｒｆ２による分圧比および基準電圧Ｖｓによって調整できる。このように、通電回路３５０♯についても、「電圧異常検知回路」および「電圧低下回路」の機能を併せ持つように構成されている。
【０１４１】
実施の形態５の変形例における制御装置では、電源電圧Ｖｃｃが所定電圧よりも低下したときに、通電回路３５０♯が、Ｖｃｃ異常を検知してヒューズ素子ＦＳを溶断する。これにより、マイクロコンピュータ３００による処理を伴うことなく、Ｖｃｃ異常（低下）時に、マイクロコンピュータ３００が動作不可となる電圧領域まで、電源電圧Ｖｃｃを確実に低下させることができる。
【０１４２】
なお、通電回路３５０および３５０♯を、ヒューズ素子ＦＳに対して並列に接続する構成とすれば、電源電圧Ｖｃｃの上昇および低下の両方に対応してＶｃｃ異常を検知して、ヒューズ素子ＦＳの溶断によってマイクロコンピュータ３００の動作を確実に停止することが可能となる。
【０１４３】
なお、本実施の形態１〜４において、Ｖｃｃ異常を検知するための構成は、例示した電圧異常検知回路４００の構成に限定されるものではなく、電源電圧Ｖｃｃの異常（上昇および／または低下）を検知可能であれば、任意の構成を適用することができる。
【０１４４】
また、本実施の形態の形態に従う制御装置は、複数の電源電圧が用いられる制御装置であれば、制御装置によって制御される負荷を特に限定することなく、電源電圧異常に対応してマイクロコンピュータを確実に停止させるための電源構成を適用することが可能である。
【０１４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４６】
１ａ，１ｂ，１ｃ，１ｄ，１ｅ  制御装置、２  電力変換回路、１０  外部電源、１２  ダイオードブリッジ、１４，２４，６２，５０２，５１５  平滑コンデンサ、１５，５２，５３，７１，９２  トランジスタ、１６，４１２，５１２  電流検出抵抗、１９，１２０，１９０  接地配線、２０  トランス、２１，２２  一次側巻線、２３  二次側巻線、４０  電圧レギュレータ、５０  電圧遮断回路、５１  サイリスタ、５５〜５８，６４，７２，８３，８４，９４  抵抗素子、６０  制御ＩＣ（電力変換回路）、６１  ラッチ端子、６３  制御入力端子、６５，１００，１１０，２００，４０１，５０１，５２０  電源配線、７０，９０，９１  電圧低下回路、７５，８５，５６０  フォトカプラ、７５ａ，８５ａ，５６０ａ  フォトダイオード、７５ｂ，８５ｂ，５６０ｂ  フォトトランジスタ、８０  Ｖｓ検出回路、８２  シャントレギュレータ、３００  マイクロコンピュータ、３５０，３５０♯  通電回路、４００  電圧異常検知回路、４１０  分圧回路、４３０  コンパレータ、４４０  ラッチ回路、５００  昇圧回路、５０６  リアクトル、５０８  ダイオード（昇圧回路）、５１０  トランジスタ（昇圧回路）、５５０  制御ＩＣ（昇圧回路）、５５２  入力端子、５７０，５８０  トランジスタ（昇圧機能停止用）、６００  高圧負荷、Ｄ１，Ｄ２  ダイオード（電力変換回路）、ＦＳ  ヒューズ素子、Ｆｖｃ  検知信号、ＧＮＤ，ＧＮＤ♯  接地電圧、Ｎ１〜Ｎ３，Ｎａ，Ｎｂ  ノード、Ｑｆ１，Ｑｆ２  トランジスタ（通電回路）、Ｒ０  電流制限抵抗、Ｒａ，Ｒｂ，Ｒｃ，Ｒｄ  抵抗素子（電圧異常検知回路）、Ｒｆ０〜Ｒｆ６  抵抗素子（通電回路）、Ｓｂｓ  昇圧停止信号、Ｖｃｃ，Ｖｄ，Ｖｄｃ，Ｖｓ  電源電圧、Ｖｄ，Ｖｄｃ  直流電圧、Ｖｄｖ  分圧電圧。
【図１】
0006344086.tif 000002
【図２】
0006344086.tif 000003
【図３】
0006344086.tif 000004
【図４】
0006344086.tif 000005
【図５】
0006344086.tif 000006
【図６】
0006344086.tif 000007
【図７】
0006344086.tif 000008